(57)【要約】      （修正有）【課題】アクリル製などのキーホルダーやグリッター印刷グッズへグリッターフィルムを敷き詰めたような加工を印刷技術で実現したキーホルダー及びグリッター印刷グッズを提供する。【解決手段】キーホルダー１は、透明性を有する基材１０と、基材１０の背面側に印刷された画像印刷層と、所定の色のグリッター部材を含む透明性インクにより印刷されたグリッター層を有する。また、キーホルダー１は、グリッターの色と同色及び同系色、金色並びに銀色のいずれかの色でグリッター層の背面側に印刷されたグリッター背面層をさらに有する。キーホルダー１は、画像印刷層の背面側に印刷された白色の画像背面層をさらに有する。【選択図】図１
0003214718.tif 000002
【実用新案登録請求の範囲】
【請求項１】
透明性を有する基材と、
前記基材の背面側に印刷された画像印刷層と、
所定の色のグリッター部材を含む透明性インクにより印刷されたグリッター層と
を備えたキーホルダー。
【請求項２】
前記グリッター部材の色と同色及び同系色のいずれかの色で前記グリッター層の背面側に印刷されたグリッター背面層
をさらに備える請求項１に記載のキーホルダー。
【請求項３】
金色並びに銀色のいずれかの色で前記グリッター層の背面側に印刷されたグリッター背面層
をさらに備える請求項１に記載のキーホルダー。
【請求項４】
前記グリッター背面層は、光沢のある色で印刷される請求項２又は３に記載のキーホルダー。
【請求項５】
前記画像印刷層の背面側に印刷された白色の画像背面層
をさらに備える請求項１乃至４のいずれかに記載のキーホルダー。
【請求項６】
前記基材は、
前記画像印刷層が形成された画像印刷領域と、
前記グリッター層が形成されたグリッター印刷領域と
を有する請求項１乃至５のいずれかに記載のキーホルダー。
【請求項７】
前記グリッター層が、複数色のグラデーションで印刷された請求項１乃至６のいずれかに記載のキーホルダー。
【請求項８】
透明性を有する基材と、
前記基材の背面側に印刷された画像印刷層と、
所定の色のグリッター部材を含む透明性インクにより印刷されたグリッター層と
を備えたグリッター印刷グッズ。
【請求項９】
基材と、
所定の色のグリッター部材を含む透明性インクにより、前記基材の正面側に印刷されたグリッター層と、
前記グリッター層の正面側又は前記基材の正面側のうち前記グリッター層が印刷されていない領域に印刷された画像印刷層と、
を備えたグリッター印刷グッズ。
【請求項１０】
前記グリッター部材の色と同色及び同系色のいずれかの色で前記グリッター層の背面側に印刷されたグリッター背面層
をさらに備える請求項９に記載のグリッター印刷グッズ。
【請求項１１】
金色並びに銀色のいずれかの色で前記グリッター層の背面側に印刷されたグリッター背面層
をさらに備える請求項９に記載のグリッター印刷グッズ。
【請求項１２】
前記画像印刷層の背面側に印刷された白色の画像背面層
をさらに備える請求項９乃至１１のいずれかに記載のグリッター印刷グッズ。
【請求項１３】
前記グリッター層が、複数色のグラデーションで印刷された請求項９乃至１２のいずれかに記載のグリッター印刷グッズ。
【考案の詳細な説明】
【技術分野】
【０００１】
本考案はキーホルダー及びグリッター印刷グッズに係り、特にグリッター又はラメ入りインクで印刷されたアクリル製のキーホルダー及びグリッター印刷グッズに関する。
【背景技術】
【０００２】
細かなラメチップを含む柔軟なフィルムであるグリッターフィルムが知られている。また、キャラクターなどの画像を印刷したアクリル製キーホルダーが知られている。
【考案の概要】
【考案が解決しようとする課題】
【０００３】
アクリル製キーホルダーにグリッターフィルムを貼り付けて、きらきらとしたキーホルダーを製作することができる。しかしながら、フィルムを貼り付けるのは手間がかかり、小さいキーホルダーになると作業が困難である。
【０００４】
一方、細かく砕いたグリッターフィルムを塗料に混ぜてキーホルダーに印刷することで、きらきらとしたキーホルダーを製作することも考えられる。この場合、グリッターフィルムによる輝きを増すために塗料へ加えるグリッターフィルムの量を増やすと、粘着部材が相対的に少なくなって塗料がキーホルダーに接着しにくい場合がある。また、塗料が厚くなることで乾燥しにくい場合がある。さらに、グリッターフィルムの量を増やしても見た目が格段に変わるわけではなく、グリッターフィルムの量を増やす分のコストが増加する一方で、効果が高くないということも課題のひとつである。
【０００５】
本考案は以上の点に鑑み、アクリル製などのキーホルダーやグリッター印刷グッズへグリッターフィルムを敷き詰めたような加工を印刷技術で実現したキーホルダー及びグリッター印刷グッズを提供することを目的とする。
【課題を解決するための手段】
【０００６】
本考案の第１の態様によると、透明性を有する基材と、上記基材の背面側に印刷された画像印刷層と、所定の色のグリッター部材を含む透明性インクにより印刷されたグリッター層とを備えたキーホルダーを提供する。このように構成されたキーホルダーは、例えば、グリッターフィルムを敷き詰めたような加工を印刷技術で実現することができる。
【０００７】
本考案の第２の態様によると、上述のキーホルダーにおいて、上記グリッター部材の色と同色及び同系色のいずれかの色で上記グリッター層の背面側に印刷されたグリッター背面層をさらに備える。このように構成されたキーホルダーは、例えば、グリッター層のグリッター部材が一層輝いて見える。
【０００８】
本考案の第３の態様によると、上述のキーホルダーにおいて、金色並びに銀色のいずれかの色で上記グリッター層の背面側に印刷されたグリッター背面層をさらに備える。このように構成されたキーホルダーによっても、例えば、グリッター層のグリッター部材が一層輝いて見える。
【０００９】
本考案の第４の態様によると、上述のキーホルダーにおいて、上記グリッター背面層は、光沢のある色で印刷される。このように構成されたキーホルダーにおいても、例えば、グリッター層のグリッター部材が一層輝いて見える。
【００１０】
本考案の第５の態様によると、上述のキーホルダーにおいて、上記画像印刷層の背面側に印刷された白色の画像背面層をさらに備える。このように構成されたキーホルダーは、例えば、基材を正面側から見たときに、画像印刷層により印刷された画像がはっきりと見え、かつ、グリッター層のグリッター部材と画像印刷層に印刷された画像が重畳して視認されない。
【００１１】
本考案の第６の態様によると、上述のキーホルダーにおいて、上記基材は、上記画像印刷層が形成された画像印刷領域と、上記グリッター層が形成されたグリッター印刷領域とを有する。このように構成されたキーホルダーは、例えば、基材を正面側から見たときに、画像とグリッター部材の双方が視認されることができる。
【００１２】
本考案の第７の態様によると、上述のキーホルダーにおいて、上記グリッター層が、複数色のグラデーションで印刷される。このように、グリッターフィルムを敷き詰めることでは困難なグラデーションも、簡易に形成することができる。
【００１３】
本考案の第８の態様によると、透明性を有する基材と、上記基材の背面側に印刷された画像印刷層と、所定の色のグリッター部材を含む透明性インクにより印刷されたグリッター層とを備えたグリッター印刷グッズを提供する。このように構成されたグリッター印刷グッズは、例えば、グリッターフィルムを敷き詰めたような加工を印刷技術で実現することができる。
【００１４】
本考案の第９の態様によると、基材と、所定の色のグリッター部材を含む透明性インクにより、上記基材の正面側に印刷されたグリッター層と、上記グリッター層の正面側又は上記基材の正面側のうち上記グリッター層が印刷されていない領域に印刷された画像印刷層と、を備えたグリッター印刷グッズを提供する。このように構成されたグリッター印刷グッズは、例えば、グリッターフィルムを敷き詰めたような加工を印刷技術で実現することができる。
【００１５】
本考案の第１０の態様によると、上述のグリッター印刷グッズにおいて、上記グリッター部材の色と同色及び同系色のいずれかの色で上記グリッター層の背面側に印刷されたグリッター背面層をさらに備える。このように構成されたグリッター印刷グッズは、例えば、グリッター層のグリッター部材が一層輝いて見える。
【００１６】
本考案の第１１の態様によると、上述のグリッター印刷グッズにおいて、金色並びに銀色のいずれかの色で上記グリッター層の背面側に印刷されたグリッター背面層をさらに備える。このように構成されたグリッター印刷グッズによっても、例えば、グリッター層のグリッター部材が一層輝いて見える。
【００１７】
本考案の第１２の態様によると、上述のグリッター印刷グッズにおいて、上記画像印刷層の背面側に印刷された白色の画像背面層をさらに備える。このように構成されたグリッター印刷グッズは、例えば、基材を正面側から見たときに、画像印刷層により印刷された画像がはっきりと見え、かつ、グリッター層のグリッター部材と画像印刷層に印刷された画像が重畳して視認されない。
【００１８】
本考案の第１３の態様によると、上述のグリッター印刷グッズにおいて、上記グリッター層が、複数色のグラデーションで印刷される。このように、グリッターフィルムを敷き詰めることでは困難なグラデーションも、簡易に形成することができる。
【考案の効果】
【００１９】
本考案によると、アクリル製などのキーホルダーへグリッターフィルムを敷き詰めたような加工を印刷技術で実現したキーホルダー及びグリッター印刷グッズを提供することができる。
【図面の簡単な説明】
【００２０】
【図１】第１の実施の形態に係るキーホルダーの正面図である。
【図２】印刷層の説明図である。
【図３】図１のＡ−Ａ’の断面を模式的に表した図である。
【図４】印刷層の第１変形例の説明図である。
【図５】印刷層の第２変形例の説明図である。
【図６】第２の実施の形態における印刷層の説明図である。
【考案を実施するための形態】
【００２１】
以下、図面を参照しつつ、本考案の実施の形態を説明する。
【００２２】
（第１の実施の形態）
図１は、第１の実施の形態に係るキーホルダーの正面図である。
キーホルダー１は、例えば、アクリル製の基材１０と、基材１０に印刷された印刷層２０を有する。基材１０は、例えば平板状で透明であり、少なくとも一面に印刷することが可能である。基材１０の形状は任意の形状とすることができる。図１は、キーホルダー１の一面側（正面側とする）から見た図である。基材１０の他面側（背面側とする）に印刷された画像などが、透明な基材１０を通して正面側から視認することができる。なお、本実施の形態の基材１０は完全な透明である以外にも、半透明でもあってもよく、透明性があればよい。また、基材１０は平板状に限らず印刷可能な曲面を有する形状でもよい。
【００２３】
印刷層２０は、画像印刷領域２１とグリッター印刷領域２２を含む。例えば、キーホルダー１を正面側から見たときに、画像印刷領域２１とグリッター印刷領域２２の双方が視認できる。画像印刷領域２１に印刷される画像は、例えばキャラクターであるが、動物、建築物、ロゴなどの図柄、写真などでもよい。
【００２４】
基材１０には、ボールチェーン、松葉、カニカン、キーリングなどの取付部材を取り付ける通し穴１１がついている。基材１０と通し穴１１は、アクリルで一体的に構成することができるが、別々の部材でも良い。
【００２５】
図２は、印刷層２０の説明図であり、例えば印刷手順を説明するための図である。
【００２６】
印刷層２０は、基材１０の背面側に印刷された画像印刷層（第１層）３１と、画像印刷層３１の背面側に印刷された白色の画像背面層（第２層）３２と、所定の色のグリッター部材を含む透明性インクにより印刷されたグリッター層（第３層）３３と、グリッター層３３の背面側に印刷されたグリッター背面層３４を含む。各層は、例えばこの順で印刷される。なお、後述するように、画像背景層３２及びグリッター背景層３４の一方又は双方を省略して構成することもできる。
【００２７】
画像印刷層３１は、キーホルダー１を正面から見たときに基材１０を通して視認可能な画像を印刷することで形成されるインクの層である。例えば、基材１０の背面のうちの一部に印刷され、画像印刷領域２１を構成する。画像印刷層３１では、例えば複数の色材を用いてフルカラーの画像をインクジェット印刷によって形成されることができる。
【００２８】
画像背景層３２は、画像印刷層３１に印刷された画像の背景となる層であり、例えば白色インクで印刷することで形成されるインクの層である。画像背景層３２も、インクジェット印刷で形成されることができる。画像背景層３２は画像印刷層３１と同じ領域に印刷することができるが、これに限らず画像印刷層３１よりも広くしてもよいし狭くしてもよい。
【００２９】
グリッター層３３は、グリッター部材を含む。グリッター部材は、例えば、グリッターフィルムを細かくしたもの（グリッターチップ）であるが、これ以外にもラメでもよいし、ラメを所定の大きさに加工したラメチップでもよいし、光を反射してきらきらと輝く他の部材でもよい。グリッター部材は、所定の色で着色されている。グリッター層３３のインクは例えば透明であるが、透明性の着色されたインクを用いても良い。グリッター層３３は、例えばシルクスクリーン印刷により形成されることができる。グリッター層３３は、単色で印刷して形成することもできるし、複数色で印刷して構成してもよいし、複数色のグラデーションで印刷して形成することもできる。
【００３０】
グリッター背景層３４は、例えば、グリッター層３３に含まれるグリッター部材の色と同色又は同系色で印刷される。また、グリッター背景層３４は、金色又は銀色でもよい。このようにすると、グリッター層３３に含まれるグリッター部材が一層輝いて見える。また、グリッター部材の量を増やすことなくグリッター部材の輝きを増すことができる。さらに、グリッター部材を増やした場合に生じる接着、乾燥及びコストなどの課題が生じにくい。また、グリッター背景層３４は、例えば光沢のある色で印刷されることができる。
【００３１】
なお、本明細書において、同系色とは、完全に同色ではないものの類似する色をいう。例えば、グリッター部材がピンクであれば、グリッター背景層３４は濃いピンクでもよいし、赤でもよい。また、一例として、１２色の色相環でいえば、同系色は色相環での隣り合う色及びこれらの濃淡色でもよい。
【００３２】
上述の例ではインクジェット印刷、シルクスクリーン印刷を用いる例を説明したが、これらに限らず適宜の印刷手法を用いても良い。
（印刷層の構成例）
【００３３】
図３は、図１のＡ−Ａ’の断面を模式的に表した図である。
印刷層２０の各層は、必ずしも基材１０上のすべての領域で４層である必要はない。例えば、画像印刷層３１及び画像背景層３２は、画像印刷領域２１にのみ印刷されてもよい。また、グリッター層３３とグリッター背景層３４は、グリッター印刷領域２２にのみ印刷されてもよい。換言すると、画像印刷領域２１とグリッター印刷領域２２はオーバーラップしないように形成してもよい。また、画像印刷領域２１とグリッター印刷領域２２は一部のみがオーバーラップして形成されてもよい。このようにすると、図３に示すような構成になる。なお、図３では便宜上各層を同じ厚さで描いているが、各層は厚さが異なってもよい。
【００３４】
図４は、印刷層２０の第１変形例の説明図である。
グリッター背景層３４を省略し、印刷層２０を、画像印刷層３１、画像背景層３２及びグリッター層３３で構成してもよい。このようにするとグリッター印刷領域２２の背景を透明にできる。
【００３５】
なお、図４は、グリッター背景層３４が省略されていることを模式的に示すものであり、例えば、図３の構成においてグリッター背景層３４を省略することもできる。
【００３６】
図５は、印刷層２０の第２変形例の説明図である。
画像背景層３２を省略し、印刷層２０を、画像印刷層３１、グリッター層３３及びグリッター背景層３４で構成してもよい。このようにすると画像印刷領域２１の背面にもグリッター層３３及びグリッター背景層３４を形成して画像印刷領域２１にもグリッター部材の輝きを与えることができる。
【００３７】
なお、図５は、画像背景層３２が省略されていることを模式的に示すものであり、例えば、図３の構成において画像背景層３２を省略してもよい。
【００３８】
（第２の実施の形態）
上述の第１の実施の形態では、基材１０の背面側に印刷層２０を形成したが、基材１０の正面側（前面側、表面側）に印刷層２０を形成してもよい。
【００３９】
図６は、第２の実施の形態における印刷層２０の説明図である。本実施の形態の印刷層２０は、基材１０の正面側にグリッター背景層３４、グリッター層３３、画像背景層３２、画像印刷層３１を有する。各層は、例えば、この順で印刷される。各層の構成、その他の構成は第１の実施の形態と同様であるので説明を省略する。また、第１の実施の形態と同様に、画像背景層３２及びグリッター背景層３４の一方又は双方を省略して構成することもできる。
【００４０】
本実施の形態においても、第１の実施の形態と同様の効果を得ることができる。また、基材１０を透明性のない基材で構成することもできる。なお、画像印刷層３１が印刷された後に、保護層を印刷してもよい。
【００４１】
なお、基材１０自体が、例えばグリッター層３３に含まれるグリッター部材の色と同色又は同系色で構成されてもよい。また、基材１０は金色又は銀色でもよい。このようにすると、基材１０がグリッター背景層３４の役割を果たし、グリッター背景層３４を省略してもグリッター背景層３４がある場合と同様の効果を得ることができる。また、基材１０は、例えば光沢のある色で構成されることができる。
（グリッター印刷グッズ）
【００４２】
なお、本考案は、キーホルダーに限らず、缶バッジ等のバッジ、ミラー、アクリル製又はその他素材のプレートなどに印刷層２０を形成したグリッター印刷グッズとしても実現できる。グリッター印刷グッズの構成は上述の各実施の形態と同様である。
【００４３】
（効果）
上述の実施の形態によると、アクリル製などのキーホルダーへグリッターフィルムを敷き詰めたような加工を印刷技術で実現したキーホルダー及びグリッター印刷グッズを提供することができる。また、本実施の形態によると、グリッターフィルムを部分的に付加したり、複数色で印刷することが可能であり、従来にない華やかさを表現することができる。さらに、同様の華やかさを従来のグリッターフィルムを敷き詰めて実現する場合と比べて、安価でキーホルダー及びグリッター印刷グッズを提供できる。
【産業上の利用可能性】
【００４４】
本考案は、例えばキーホルダー、缶バッジ等のバッジ、ミラー、アクリル製又はその他素材のプレート等の製造・販売に利用可能である。
【符号の説明】
【００４５】
１  キーホルダー
１０  基材
２１  画像印刷領域
２２  グリッター印刷領域
３１  画像印刷層
３２  画像背景層
３３  グリッター層
３４  グリッター背景層
【図１】
0003214718.tif 000003
【図２】
0003214718.tif 000004
【図３】
0003214718.tif 000005
【図４】
0003214718.tif 000006
【図５】
0003214718.tif 000007
【図６】
0003214718.tif 000008